(57)【特許請求の範囲】
【請求項１】
重要情報を送信する重要情報送信装置と，該重要情報を受信する重要情報受信装置とからなる重要情報伝送システムであって：
前記重要情報送信装置は，
前記重要情報送信装置と前記重要情報受信装置の間でセキュアな通信経路を築くための初期鍵である前記重要情報を，該重要情報の復元に少なくともｋ個（２≦ｋ≦ｎ）の分散情報を要するｎ個（２≦ｎ）の分散情報に分散する分散情報生成部と；
前記重要情報受信装置が少なくともｋ個の分散情報を受信可能な電力で、無線通信によって前記重要情報受信装置に前記分散情報を複数回に分けて送信する送信側送信部と；
を備え，
前記重要情報受信装置は，
前記分散情報を受信する受信側受信部と；
少なくともｋ個の分散情報から前記重要情報を復元する重要情報復元部と；
を備えることを特徴とする，重要情報伝送システム。
【請求項２】
無線通信を介して，重要情報を重要情報受信装置に送信する重要情報送信装置であって：
前記重要情報送信装置と前記重要情報受信装置の間でセキュアな通信経路を築くための初期鍵である前記重要情報を，該重要情報の復元に少なくともｋ個（２≦ｋ≦ｎ）の分散情報を要するｎ個（２≦ｎ）の分散情報に分散する分散情報生成部と；
前記重要情報受信装置が少なくともｋ個の分散情報を受信可能な電力で、無線通信によって前記重要情報受信装置に前記分散情報を複数回に分けて送信する送信側送信部と；
を備えることを特徴とする，重要情報送信装置。
【請求項３】
前記送信側送信部は，前記重要情報受信装置における分散情報の受信個数に応じてｋの値を調整することを特徴とする，請求項２に記載の重要情報送信装置。
【請求項４】
前記送信側送信部は，送信電力を調整して前記分散情報を送信することを特徴とする、請求項２に記載の重要情報送信装置。
【請求項５】
前記重要情報を生成し，前記分散情報生成部に送信する重要情報生成部をさらに備えることを特徴とする，請求項２〜４のいずれかに記載の重要情報送信装置。
【請求項６】
前記重要情報受信装置からのデータを受信する送信側受信部と；
前記受信したデータから重要情報受信装置が重要情報を正しく取得したかどうかを確認する送信側確認部と；
をさらに備えることを特徴とする，請求項２〜５のいずれかに記載の重要情報送信装置。
【請求項７】
無線通信を介して，重要情報を重要情報受信装置に送信する重要情報送信方法であって：
前記重要情報送信装置と前記重要情報受信装置の間でセキュアな通信経路を築くための初期鍵である前記重要情報を，該重要情報の復元に少なくともｋ個（２≦ｋ≦ｎ）の分散情報を要するｎ個（２≦ｎ）の分散情報に分散する分散情報生成ステップと；
前記重要情報受信装置が少なくともｋ個の分散情報を受信可能な電力で、無線通信によって前記重要情報受信装置に前記分散情報を複数回に分けて送信する送信側送信ステップと；
を含むことを特徴とする，重要情報送信方法。
【請求項８】
無線通信を介して，重要情報を重要情報受信装置に送信するコンピュータに用いられるプログラムであって：
コンピュータを，
前記重要情報送信装置と前記重要情報受信装置の間でセキュアな通信経路を築くための初期鍵である前記重要情報を，該重要情報の復元に少なくともｋ個（２≦ｋ≦ｎ）の分散情報を要するｎ個（２≦ｎ）の分散情報に分散する分散情報生成部と；
前記重要情報受信装置が少なくともｋ個の分散情報を受信可能な電力で、無線通信によって前記重要情報受信装置に前記分散情報を複数回に分けて送信する送信側送信部と；
して機能させることを特徴とする，プログラム。
【請求項９】
無線通信を介して，重要情報を重要情報送信装置から受信する重要情報受信装置であって：
前記重要情報送信装置から前記重要情報受信装置が少なくともｋ個の分散情報を受信可能な電力で複数回に分けて送信された，前記重要情報送信装置と前記重要情報受信装置の間でセキュアな通信経路を築くための初期鍵である前記重要情報をｎ個（２≦ｎ）に分散した分散情報のうち，１つ以上の分散情報を受信する受信側受信部と；
前記受信された分散情報のうちの，前記重要情報の復元に要する少なくともｋ（２≦ｋ≦ｎ）個の分散情報から前記重要情報を復元する重要情報復元部と；
を備えることを特徴とする，重要情報受信装置。
【請求項１０】
前記重要情報受信装置にデータを送信する受信側送信部と；
前記送信したデータに応じて前記重要情報送信装置から送信され，前記受信側受信部で受信したデータから取得した重要情報が正しいかどうかを確認する受信側確認部と；
をさらに備えることを特徴とする，請求項９に記載の重要情報受信装置。
【請求項１１】
無線通信を介して，重要情報を重要情報送信装置から受信する重要情報受信方法であって：
前記重要情報送信装置から前記重要情報受信装置が少なくともｋ個の分散情報を受信可能な電力で複数回に分けて送信された，前記重要情報送信装置と前記重要情報受信装置の間でセキュアな通信経路を築くための初期鍵である前記重要情報をｎ個（２≦ｎ）に分散した分散情報のうち，１つ以上の分散情報を受信する受信側受信ステップと；
前記受信された分散情報のうちの，前記重要情報の復元に要する少なくともｋ（２≦ｋ≦ｎ）個の分散情報から前記重要情報を復元する重要情報復元ステップと；
を含むことを特徴とする，重要情報受信方法。
【請求項１２】
無線通信を介して，重要情報を重要情報送信装置から受信するコンピュータに用いられるプログラムであって：
コンピュータを，
前記重要情報送信装置から前記重要情報受信装置が少なくともｋ個の分散情報を受信可能な電力で複数回に分けて送信された，前記重要情報送信装置と前記重要情報受信装置の間でセキュアな通信経路を築くための初期鍵である前記重要情報をｎ個（２≦ｎ）に分散した分散情報のうち，１つ以上の分散情報を受信する受信側受信部と；
前記受信された分散情報のうちの，前記重要情報の復元に要する少なくともｋ（２≦ｋ≦ｎ）個の分散情報から前記重要情報を復元する重要情報復元部と；
して機能させることを特徴とする，プログラム。
【発明の詳細な説明】
【技術分野】
【０００１】
本発明は，重要情報を伝送する，重要情報伝送システム，重要情報送信装置，重要情報送信方法，重要情報受信装置，重要情報受信方法，中継装置，中継方法，およびそのプログラムに関する。
【背景技術】
【０００２】
近年，家庭内においても無線通信ネットワークが普及し，そのような無線通信ネットワークを利用した無線端末装置の連携により，屋内の空間温度分布を考慮して低消費電力で温度制御したり，生体センサで検知した体の異常をリアルタイムでモニタしたりするサービスが可能となってきた。
【０００３】
このような無線通信ネットワークでは，情報が電波によって伝達されるため，第三者によって不正に傍受されたり，情報が改竄されたりする可能性がある。特に，家庭内の無線通信ネットワークにおいては，例えば，生体センサで検知した個人のプライバシに関する情報が方向を問わず飛び交うこととなるので，その情報の保護が益々重要になってくる。
【０００４】
上記のような家庭内における無線通信ネットワークは，複数の無線端末装置と，それを管理する管理装置とからなる。両者は，両者間のセキュアな情報通信のため，互いに情報を暗号化するための鍵情報を有している。従って，両者間で共有すべき新しい鍵情報が不正な第三者に漏洩することなく，安全に伝送できるかどうかが問題となる。
【０００５】
このような鍵情報をセキュアに伝送する方法として，管理装置と無線通信を行う無線端末装置が通信可能な程度まで管理装置の無線出力を下げ，管理装置の極近傍でのみ通信可能とし，管理装置と離れた無線端末装置の情報の傍受を回避する技術が知られている（例えば，特許文献１）。
【特許文献１】特開平２００５−０７９９７５号公報
【発明の開示】
【発明が解決しようとする課題】
【０００６】
しかしながら，上記無線出力のみを調整する技術では，無線通信の特性により，「極近傍」の領域が不明確なため，場合によっては，保護すべき情報が，無線通信ネットワークシステム周辺において不正な第三者に任意の確率で漏洩してしまう。特に，通信開始時に設定される鍵情報が漏洩してしまうと，その後の情報のやりとりが全部筒抜けな状態になってしまう。
【０００７】
本発明は，従来の無線通信ネットワークが有する上記問題点に鑑みてなされたものであり，本発明の目的は，制限された通信環境の下で，ある確率をもって情報を取得できる無線端末装置のみ通信を継続でき，その他の不正な無線端末装置の傍受を防止することが可能な，新規かつ改良された重要情報伝送システム，重要情報送信装置，重要情報送信方法，重要情報受信装置，重要情報受信方法，中継装置，中継方法，およびそのプログラムを提供することである。
【課題を解決するための手段】
【０００８】
上記課題を解決するために，本発明のある観点によれば，通信に利用される重要情報を送信する重要情報送信装置と，該重要情報を受信する重要情報受信装置とからなる重要情報伝送システムであって：上記重要情報送信装置は，上記重要情報を，該重要情報の復元に少なくともｋ個（２≦ｋ≦ｎの整数）の分散情報を要するｎ個（２≦ｎの整数）の分散情報に分散する分散情報生成部と；無線通信によって上記重要情報受信装置に上記分散情報を送信する送信側送信部と；を備え，上記重要情報受信装置は，上記分散情報を受信する受信側受信部と；少なくともｋ個の分散情報から上記重要情報を復元する重要情報復元部と；を備えることを特徴とする，重要情報伝送システムが提供される。
【０００９】
重要情報受信装置は，重要情報送信装置からの分散情報を全て受信しなくとも，ｋ個の分散情報を取得することで重要情報を復元することができる。これに対して，不正な第三者等による他の無線端末装置は，ｋ個以上の分散情報を取得しないと重要情報を復元することができない。即ち，分散情報を多く取得できない他の無線端末装置は，重要情報送信装置と重要情報受信装置との通信を傍受することができないこととなる。
【００１０】
重要情報送信装置は，送信対象となる重要情報受信装置のみが，少なくともｋ個の分散情報を取得できるような手段によって分散情報を送信するとしてもよい。
【００１１】
上記課題を解決するために，本発明の別の観点によれば，無線通信を介して，通信に利用される重要情報を重要情報受信装置に送信する重要情報送信装置であって：上記重要情報を，該重要情報の復元に少なくともｋ個（２≦ｋ≦ｎ）の分散情報を要するｎ個（２≦ｎ）の分散情報に分散する分散情報生成部と；無線通信によって上記重要情報受信装置に上記分散情報を送信する送信側送信部と；を備えることを特徴とする，重要情報送信装置が提供される。
【００１２】
上述したように重要情報受信装置は，重要情報送信装置からの分散情報を全て受信しなくとも，ｋ個の分散情報を取得することで重要情報を復元することができる。これに対して，不正な第三者等による他の無線端末装置は，送信側送信部の操作により重要情報を復元できない。従って，重要情報送信装置と重要情報受信装置とはセキュアな通信経路を築くことができる。
【００１３】
上記送信側送信部は，上記重要情報受信装置が少なくともｋ個の分散情報を受信可能な電力で分散情報を送信するとしてもよい。
【００１４】
送信側送信部は，重要情報受信装置の位置を推定し，送信電力を調整して分散情報を送信する。従って，送信電力は，重要情報受信装置が少なくともｋ個の分散情報を受信できる程度の小さい電力に制限される。重要情報送信装置と距離が離れている，また，通信経路に雑音が多いといった他の無線端末装置は，このように制限された送信電力の下では，ｋ個以上の分散情報を取得することができず，通信を傍受することができない。
【００１５】
上記送信側送信部は，上記重要情報受信装置における分散情報の受信個数に応じてｋの値を調整するとしてもよい。
【００１６】
上述したように，上記送信側送信部は，送信電力を調整して分散情報を重要情報受信装置に送信する。しかし，送信電力が調整できない，または送信電力の調整範囲が狭い送信側送信部も存在する。この場合，重要情報受信装置が受信可能な分散情報の数を計数して，その計数値をｋに代入する。かかる構成により，更新されたｋ個の分散情報を取得できない他の無線端末装置は，重要情報送信端末の通信を傍受できない。
【００１７】
上記重要情報を生成し，上記分散情報生成部に送信する重要情報生成部をさらに備えるとしてもよい。かかる構成により，重要情報送信装置内の閉鎖された環境で重要情報を生成することができるので，よりセキュアな処理が可能となる。
【００１８】
上記重要情報受信装置からのデータを受信する送信側受信部と；上記受信したデータから重要情報受信装置が重要情報を正しく取得したかどうかを確認する送信側確認部と；をさらに備えるとしてもよい。
【００１９】
かかる送信側確認部によって重要情報が正しく重要情報受信装置に届いたことを確認することができ，より正確に通信経路を確立することができる。また，重要情報受信装置が送信するデータには分散情報の取得数を含めることができ，送信側送信部のｋの更新時に利用されるとしてもよい。
【００２０】
上記重要情報は，暗号化または認証に利用される鍵情報であってもよい。通信開始時にこの鍵情報を安全に伝送できれば，重要情報送信装置と重要情報受信装置との通信経路を他の無線端末装置から隔離することができる。また，重要情報としては，パスワード，ユーザＩＤ，各種コマンド，データ等にも適用できる。
【００２１】
また，上記重要情報送信装置を利用して重要情報を送信する重要情報送信方法や，コンピュータによって，上記重要情報送信装置として機能するプログラムも提供される。
【００２２】
上記課題を解決するために，本発明の別の観点によれば，無線通信を介して，通信に利用される重要情報を重要情報送信装置から受信する重要情報受信装置であって：上記重要情報送信装置から送信された，上記重要情報をｎ個（２≦ｎ）に分散した分散情報のうち，１つ以上の分散情報を受信する受信側受信部と；上記受信された分散情報のうちの，上記重要情報の復元に要する少なくともｋ（２≦ｋ≦ｎ）個の分散情報から上記重要情報を復元する重要情報復元部と；を備えることを特徴とする，重要情報受信装置が提供される。
【００２３】
重要情報受信装置は，重要情報送信装置からの分散情報を全て受信しなくとも，ｋ個の分散情報を受け取ることで重要情報を復元することができる。かかる構成により重要情報送信装置とのセキュアな通信経路を築くことが可能となる。
【００２４】
上記重要情報受信装置にデータを送信する受信側送信部と；上記送信したデータに応じて上記重要情報送信装置から送信され，上記受信側受信部で受信したデータから取得した重要情報が正しいかどうかを確認する受信側確認部と；をさらに備えるとしてもよい。
【００２５】
かかる受信側確認部によって，当該受信側受信部で受信した重要情報が正しいかどうかを確認することができ，より正確に通信経路を確立することができる。
【００２６】
上記重要情報は，上記重要情報送信装置同様，暗号化または認証に利用される鍵情報であるとしてもよい。
【００２７】
また，上記重要情報受信装置を利用して重要情報を受信する重要情報受信方法や，コンピュータによって，上記重要情報受信装置として機能するプログラムも提供される。
【００２８】
上記課題を解決するために，本発明の別の観点によれば，通信に利用される重要情報を送信する重要情報送信装置と，該重要情報を中継する１以上の中継装置と，無線通信を介して該重要情報を受信する重要情報受信装置とからなる重要情報伝送システムであって：上記重要情報送信装置は，上記重要情報を，該重要情報の復元に少なくともｋ個（２≦ｋ≦ｎ）の分散情報を要するｎ個（２≦ｎ）の分散情報に分散する分散情報生成部と；ｎ個の分散情報を，上記中継装置に対応したｒ個（１≦ｒ≦ｎ）の分散情報組に組み分ける分散情報組分け部と；上記分散情報組をｒ個の中継装置にそれぞれ送信する送信側送信部と；を備え，上記中継装置は，上記分散情報組を受信する中継受信部と；無線通信によって上記重要情報受信装置に，上記分散情報組中の分散情報を送信する中継送信部と；を備え，上記重要情報受信装置は，上記分散情報を受信する受信側受信部と；少なくともｋ個の分散情報から上記重要情報を復元する重要情報復元部と；を備えることを特徴とする，重要情報伝送システムが提供される。
【００２９】
重要情報受信装置は，中継装置からの分散情報を全て受信しなくとも，ｋ個の分散情報を取得することで重要情報を復元することができる。これに対して，不正な第三者等による他の無線端末装置は，ｋ個以上の分散情報を取得しないと重要情報を復元することができない。即ち，分散情報を多く取得できない他の無線端末装置は，重要情報送信装置と重要情報受信装置との通信を傍受することができないこととなる。
【００３０】
上記課題を解決するために，本発明の別の観点によれば，通信に利用される重要情報を，中継装置を介して重要情報受信装置に送信する重要情報送信装置であって：上記重要情報を，該重要情報の復元に少なくともｋ個（２≦ｋ≦ｎ）の分散情報を要するｎ個（２≦ｎ）の分散情報に分散する分散情報生成部と；ｎ個の分散情報を，上記中継装置に対応したｒ個（１≦ｒ≦ｎ）の分散情報組に組み分ける分散情報組分け部と；上記分散情報組をｒ個の中継装置にそれぞれ送信する送信側送信部と；を備えることを特徴とする，重要情報送信装置が提供される。
【００３１】
上述したように重要情報受信装置は，中継装置からの分散情報を全て受信しなくとも，ｋ個の分散情報を受け取ることで重要情報を復元することができる。これに対して，不正な第三者等による他の無線端末装置は，重要情報受信装置のみが受信できるように加工された分散情報を取得することができない。従って，重要情報送信装置と重要情報受信装置とはセキュアな通信経路を築くことができる。
【００３２】
上記重要情報受信装置と通信可能な中継装置を１以上抽出する中継装置抽出部をさらに備え，上記分散情報組分け部は，抽出された中継装置に応じて分散情報組に組み分けるとしてもよい。
【００３３】
本発明においては，各中継装置と重要情報受信装置との通信状態（距離，方向，電波状況等）を限定することで，各中継装置とそのような通信状態にない他の無線端末装置を排除している。従って，重要情報送信装置は，通信状態の異なる中継装置をできるだけ多く挙げ，その中継装置それぞれに分散情報を組み分ける。かかる構成により，セキュアな通信経路を確立することが可能となる。
【００３４】
上記課題を解決するために，本発明の別の観点によれば，通信に利用される重要情報を，重要情報送信装置から重要情報受信装置に中継する中継装置であって：上記重要情報送信装置で生成される，ｎ個（２≦ｎ）の分散情報をｒ個（１≦ｒ≦ｎ）に組み分けた分散情報組を受信する中継受信部と；無線通信によって上記重要情報受信装置に，上記分散情報組中の分散情報を送信する中継送信部と；を備えることを特徴とする，中継装置が提供される。
【００３５】
上記中継装置は重要情報受信装置と通信可能な様々な位置に配される。このような中継装置から重要情報受信装置への通信状態を限定することにより，通信可能な重要情報受信装置を特定することができる。
【００３６】
上記重要情報受信装置との通信状態を調べ，該通信状態に関する情報（位置推定情報）を上記重要情報送信装置に送信する通信状態検出部をさらに備えるとしてもよい。
【００３７】
かかる構成により，重要情報送信装置は，各中継装置と重要情報受信装置との通信状態を把握することができ，かかる通信状態に応じた組み分けを行うことができる。
【００３８】
他の無線端末装置の情報の送受信を中継する情報中継部をさらに備えるとしてもよい。かかる構成により，重要情報送信装置と重要情報受信装置のみならず，他の無線端末装置間の通信も中継することができ，無線端末装置同士の通信状態が悪かったとしても，その間を補間することが可能となる。
【００３９】
また，上記中継装置を利用して重要情報を中継する中継方法や，コンピュータによって，上記中継装置として機能するプログラムも提供される。
【００４０】
上述した重要情報送信装置や重要情報受信装置における従属項に対応する構成要素やその説明は，他の観点による重要情報伝送システム，重要情報送信装置，重要情報受信装置，中継装置やその方法およびプログラムにも適用可能である。
【００４１】
また，上記重要情報伝送システムは，複数の装置の集合体で表されているが，各構成要素，機能モジュールがどの装置に属するかを限定しないとしても良く，また，それ自体が単体で存在するとしても良い。
【００４２】
かかる重要情報送信装置，重要情報受信装置，中継装置は，いずれか２つの装置を１体で形成するとしてもよく，３つの装置全てが一体形成されるとしてもよい。従って，重要情報送信装置は中継装置の機能を有してもよいし，逆に中継装置は重要情報送信装置の機能を有するとしてもよい。
【発明の効果】
【００４３】
以上説明したように本発明によれば，通信状態が制限された状況下において，任意の確率で重要情報を取得できる無線端末装置のみが，重要情報送信装置との通信を継続することができる。また，このような通信状態にはない他の無線端末装置は，重要情報を取得できないので，通信内容の不正な傍受を行うことができない。
【発明を実施するための最良の形態】
【００４４】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００４５】
近年，家庭内においても無線通信ネットワークが普及しつつある。現在，普及している無線通信ネットワークシステムとしては，パーソナルコンピュータ等のコンピュータ装置をインターネットに接続することを目的とした無線ＬＡＮが挙げられる。
【００４６】
このような無線ＬＡＮに追加されて，今後は，各家庭の屋内におけるディジタル情報家電ネットワークシステムやセンサネットワークシステムの普及が見込まれる。これらのネットワークが互いに連携し合うことで，例えば，温度センサで収集した詳細な空間温度分布を基に，空調機器を省電力制御したり，生体センサで検知した体の異常を，モニタを通じてユーザに勧告したりといったサービスが可能となる。
【００４７】
このような屋内における無線通信ネットワークシステムの課題は，通信する情報の保護である。上記無線通信ネットワークシステムでは，無線で情報をやりとりするので，第三者が容易に家庭内の個人情報を不正入手したり，家庭内の機器に不正アクセスしたりすることができる。例えば，屋内における生体センサで検知した個人のプライバシ情報が盗聴されることや，屋外からテレビジョンの電源がオン／オフされるといった嫌がらせ行為が懸念される。従って，今後の屋内における無線通信ネットワークシステムでは，通信される情報の暗号化や無線端末装置の認証といったアクセス制御が益々重要になる。
【００４８】
一般に，屋内等における無線通信ネットワークシステムは，複数の無線端末装置（例えば，無線通信機能を備えた各電子機器）と，これらの無線端末装置を認証管理する認証管理装置（例えば，無線通信機能を備えたサーバやホストコンピュータ等）から構成される。ここでは，無線端末装置が，コンピュータ装置等に比べ計算能力が非常に乏しい場合を想定する。
【００４９】
かかる構成においては，無線通信ネットワークシステムに新たに追加される無線端末装置が，暗号化や認証のための鍵情報（暗号鍵を含む）を事前に設定していない場合に，認証管理装置が，無線端末装置との間でどのようにして鍵情報を設定するのかが非常に重要となってくる。
【００５０】
この通信開始時における初期の鍵情報（以下、初期鍵と呼ぶ）を安全に設定することができれば，無線端末装置と認証管理装置との間の通信がセキュアな状態となり，やりとりされる情報の暗号化と，送信元の認証が可能になる。各無線端末装置と認証管理装置との間の通信がセキュアであると，新しい鍵情報が第三者に漏洩することなく安全に伝送できるため，鍵情報の更新も安全に行うことができ，また，さらに他の無線端末装置の通信をセキュアに中継できる。
【００５１】
上記，初期鍵の安全な設定方法としては，例えば，ユーザが手動設定する方法，装置間を有線接続して鍵を有線伝送する方法，無線通信を利用する方法等，様々な方法が存在する。いずれの方法にせよ，無線通信を利用して初期鍵の設定を行う場合，無線通信ネットワークシステムの設置箇所周辺に存在する可能性がある第三者の無線端末装置が，装置間の無線通信を傍受して鍵情報を不正に入手することを防がなくてはならない。
【００５２】
このような不正入手を防ぐ方法として，例えば，指向性を有した赤外線通信を用いて鍵を伝送する方法や，ＲＦＩＤタグ（無線ＩＤタグ）等を用いて，近距離通信のみ可能な非接触通信により鍵を伝送する方法が考えられる。しかし，これらの方法は，無線端末装置に，別途専用のインタフェースが必要となるため別途コストを要する。
【００５３】
無線通信を利用した初期鍵の伝送を，別途のインタフェースを要さず行い，かつ，無線通信ネットワーク周辺に居る第三者の無線端末装置が無線通信を傍受していたとしても，安全に通信を実現する方法としては，例えば，Ｄｉｆｆｉｅ−Ｈｅｌｌｍａｎ鍵交換方式などに代表される公開鍵手法に基づく鍵交換方式が知られる。しかし，これらの方式は，計算量が大きいため，計算能力に乏しい無線端末装置への適用は困難であった。
【００５４】
そこで，本発明による以下の実施形態では，認証管理装置と無線端末装置との通信経路の通信状態と，第三者の無線通信装置との通信経路の通信状態とには，例えば雑音等に代表される差があることに着目した。本実施形態では，かかる通信状態の差を利用して，安全に鍵情報を伝送する手段を提供する。
【００５５】
特に，屋内に設置された無線通信ネットワークシステムでは，認証管理装置と，その近傍で鍵情報を受信する無線端末装置との通信経路に比べ，認証管理装置と屋外にある不正な第三者の無線端末装置との通信経路は，壁などの様々な障害物が存在することが想定されるため，雑音が多くなる確率が高い。本実施形態の目的は，そのような，通信経路の通信状態，特に通信電波の感度が相違する状況において，正当な無線端末装置のみが正しい鍵情報を入手する確率を高くすることにある。
【００５６】
本実施形態において保護される情報は，鍵情報のみならず，パスワード，ユーザＩＤ，各種コマンド，データ等にも適用できるため，合わせて重要情報として取り扱う。以下では，雑音等によって通信状態が相違する（通信途中でビットエラー，パケットエラーやパケットロスが起こり得る）通信経路において，どのようにして重要情報伝送システムを確立していくかを詳細に述べる。
【００５７】
（第１の実施形態：重要情報伝送システム）
図１は，第１の実施形態における重要情報伝送システムにおける各装置の概略的な配置を示した配置図である。かかる重要情報伝送システムは，様々な無線端末装置からなり，各端末が認証管理装置にもなりうる。ここでは，理解を容易にするため，機能を限定した重要情報送信装置１００と，重要情報受信装置１２０と，他の無線端末装置１３０とを用いて重要情報伝送システムを説明する。
【００５８】
上記重要情報送信装置１００は，認証管理装置として機能し，重要情報受信装置１２０からの重要情報伝送システム参加の要求を受け，重要情報，特にここでは初期鍵を重要情報受信装置１２０に送信する。
【００５９】
上記重要情報受信装置１２０は，当該重要情報伝送システムへの参加を希望する場合，重要情報送信装置１００にその旨要求し，重要情報送信装置１００から重要情報（初期鍵）を受信し，その鍵情報を利用して以後の通信を行う。
【００６０】
重要情報受信装置１２０は，重要情報送信装置１００からの重要情報を他の無線端末装置１３０に漏洩しないように確実に受信することでセキュアな通信経路を確立する。これに対して，不正な第三者等による他の無線端末装置１３０は，重要情報送信装置１００からの重要情報を受信することが困難なため，重要情報送信装置１００と重要情報受信装置１２０とで構成される重要情報伝送システムの情報を取得することができない。
【００６１】
このようなセキュアな重要情報伝送システムは，重要情報送信装置１００の重要情報の送信および重要情報受信装置１２０の重要情報の受信を工夫することによってなされる。本実施形態においては，重要情報送信装置１００から，特定の通信状態を維持可能な範囲１４０にある重要情報受信装置１２０のみ無線通信に参加することができ，その他の領域にある他の無線端末装置１３０は参加できない。以下，このような本実施形態の構成について詳細に説明する。
【００６２】
（重要情報送信装置１００）
本実施形態において，まず，重要情報送信装置１００は，重要情報受信装置１２０に重要情報を送信する。その際，重要情報は２以上の分散情報に分けられる。重要情報受信装置１２０は，重要情報送信装置１００からの分散情報を全て受信しなくとも，ビットエラー，パケットエラー，パケットロス等なしに，ｋ個の分散情報を受け取ることで重要情報を復元することができる。
【００６３】
これに対して，不正な第三者等による他の無線端末装置１３０は，ｋ個以上の分散情報を取得しないと重要情報を復元することができない。即ち，重要情報送信装置１００と重要情報受信装置１２０との通信を傍受することができないこととなる。
【００６４】
図２は，重要情報送信装置１００の概略的な構成を示した機能ブロック図である。かかる重要情報送信装置１００は，重要情報生成部２１０と，分散情報生成部２１２と，送信側送信部２１４と，送信側受信部２１６と，送信側確認部２１８とを含んで構成される。
【００６５】
ここで重要情報は，特に，暗号化または認証に利用される暗号鍵を含む鍵情報を示している。通信開始時にこの鍵情報を安全に伝送できれば，重要情報送信装置１００と重要情報受信装置１２０との通信経路を他の無線端末装置１３０から隔離することができる。また，重要情報としては，上記の鍵情報を挙げているが，パスワード，ユーザＩＤ，各種コマンド，データ等の他の情報にも適用できる。
【００６６】
上記重要情報生成部２１０は，重要情報受信装置１２０との無線通信に利用する重要情報，例えば，予め当該無線通信ネットワークシステムで規定されたビット長の鍵情報を個別に生成し，分散情報生成部２１２および送信側確認部２１８に送信する。かかる構成により，重要情報送信装置１００内の閉鎖された環境で重要情報を生成することができるので，よりセキュアな処理が可能となる。
【００６７】
上記分散情報生成部２１２は，重要情報を，ｎ個（２≦ｎ）の分散情報に分散する。分散情報の生成方法としては，様々なパターンが考えられる。
【００６８】
例えば，重要情報生成部２１０より与えられた重要情報をＫＥＹとしたとき，ｎ−１個からなる乱数ｒ（ｉ）｛ｉ＝１，２，…，ｎ｝を使ってｎ個の分散情報Ｓ（ｉ）｛ｉ＝１，２，…，ｎ｝を生成する。このとき，
ｓ（１）    ＝ｒ（１），
ｓ（２）    ＝ｒ（２），
：
ｓ（ｎ−１）＝ｒ（ｎ−１），
ｓ（ｎ）    ＝ｒ（１）＾ｒ（２）＾…＾ｒ（ｎ−１）＾ＫＥＹ    …（数式１）
である。ただし，数式１中の「＾」は排他的論理和（ＥＸＯＲ）を示す。
【００６９】
このような分散情報を生成した場合，分散情報の全て（ｋ＝ｎ）を受信できた無線端末装置のみが，
ＫＥＹ＝ｓ（１）＾ｓ（２）＾…＾ｓ（ｎ−１）＾ｓ（ｎ）    …（数式２）
によって正しい重要情報（ＫＥＹ）を復元することができる。即ち，重要情報受信装置１２０は全ての分散情報を受信しなければならない。
【００７０】
また，他の分散情報の生成方法としては，秘密分散法の１つである，（ｋ，ｎ）閾値法がある。これは，ｎ個の分散情報のうち，少なくともｋ個の分散情報を取得したものだけ正しい重要情報（ＫＥＹ）を復元することができるといったものである。ここで分散情報の生成方法を２つ述べたがかかる場合に限られず，当業者が利用することが可能な様々な方法を適用することができる。
【００７１】
上記送信側送信部２１４は，分散情報生成部２１２が生成した分散情報，後述するチャレンジ情報やレスポンス情報を，送信先となる重要情報受信装置１２０に無線通信を介して送信する。この送信側送信部２１４は，重要情報受信装置１２０との通信経路の確立のための様々な機能を有する。
【００７２】
例えば，送信側送信部２１４は，重要情報受信装置１２０が少なくともｋ個の分散情報を受信可能な電力で分散情報を送信するとしてもよい。送信側送信部２１４は，重要情報受信装置１２０の位置を推定し，送信電力を調整して分散情報を送信する。従って，送信電力は，重要情報受信装置が少なくともｋ個の分散情報を受信できる程度の，小さいもしくは最小の電力に制限される。このような制限された送信電力では，重要情報送信装置と距離が離れている，また，通信経路に雑音が多いといった他の無線端末装置１３０は，ｋ個以上の分散情報を取得することができず，通信経路を確立することができない。
【００７３】
また，送信側送信部２１４は，重要情報受信装置１２０の受信状況に応じてｋの値を調整するとしてもよい。送信側送信部２１４は，送信電力を調整して分散情報を重要情報受信装置１２０に送信することもできるが，送信電力が調整できない，または送信電力の調整範囲が狭い送信側送信部２１４も存在する。この場合，重要情報受信装置１２０が，受信可能な分散情報の数を計数し，その計数された数でｋを更新する。かかる構成により，更新されたｋ個の分散情報を取得できない他の無線端末装置１３０は重要情報送信端末１００との通信経路を確立できない。
【００７４】
上記送信側受信部２１６は，重要情報受信装置１２０からのレスポンス情報やチャレンジ情報，その他のデータを受信する。
【００７５】
上記送信側確認部２１８は，送信側受信部２１６が受信したデータから重要情報受信装置１２０が重要情報を正しく取得したかどうかを確認する。
【００７６】
正しく取得したかどうかの確認方法としては，例えば，チャレンジ・レスポンス方式を用いた相互認証が想定される。送信側確認部２１８は，まず，チャレンジ情報を生成し，送信側送信部２１４に与える。その後，送信側受信部２１６より，チャレンジ情報に対する重要情報受信装置１２０からのレスポンス情報が与えられることにより，重要情報受信装置１２０が正しい重要情報を入手したことを確認できる。
【００７７】
逆に，重要情報受信装置１２０からチャレンジ情報が与えられた場合，送信側確認部２１８は，与えられたチャレンジ情報に対するレスポンス情報を生成し，送信側送信部２１４を通じて重要情報受信装置１２０に返信する。このような過程で交換するチャレンジ情報やレスポンス情報には，ＩＤ情報（固有アドレス情報）や乱数，またそれらに対して鍵情報を用いて変換した値を含むとしてもよい。
【００７８】
かかる送信側確認部２１８によって，重要情報受信装置１２０に重要情報が設定されたことを確認することができ，より正確に通信経路を確立することができる。また，重要情報受信装置１２０が送信するデータには分散情報の取得数を含めることができ，送信側送信部のｋの更新時に利用されるとしてもよい。
【００７９】
また，コンピュータによって，重要情報送信装置１００として機能するプログラムも提供される。
【００８０】
（重要情報受信装置１２０）
重要情報送信装置１００が分散情報を送信した後，重要情報受信装置１２０は，分散情報を受信する。このとき，重要情報受信装置１２０は，重要情報送信装置１００からの分散情報を全て受信しなくとも，ビットエラー，パケットエラー，パケットロス等なしに，ｋ個の分散情報を受け取ることで重要情報を復元することができる。
【００８１】
図３は，重要情報受信装置１２０の概略的な構成を示した機能ブロック図である。かかる重要情報受信装置１２０は，受信側受信部２５０と，重要情報復元部２５２と，受信側送信部２５４と，受信側確認部２５６とを含んで構成される。
【００８２】
上記受信側受信部２５０は，重要情報送信装置１００からの分散情報，チャレンジ情報，レスポンス情報を受信し，その情報が必要な重要情報復元部２５２や受信側確認部２５６に送信する。
【００８３】
上記重要情報復元部２５２は，受信側受信部２５０で受信された分散情報から，上述した分散情報の生成方法に準じた方法により，重要情報を復元する。かかる復元は，重要情報送信装置１００で生成されるｎ個（２≦ｎ）の分散情報のうちの，少なくともｋ（２≦ｋ≦ｎ）個の分散情報があれば実現できる。かかる構成により重要情報送信装置１００とのセキュアな通信経路を築くことが可能となる。
【００８４】
また，重要情報復元部２５２は，復元された重要情報を受信側確認部２５６に送信する。
【００８５】
上記受信側送信部２５４は，重要情報送信装置１００にレスポンス情報，チャレンジ情報，その他のデータを送信する。その他のデータとは，例えば，重要情報送信装置１００に対する分散情報の送信要求であってもよい。かかる分散情報の送信要求タイミングは特に限定されない。例えば，定期的に生成されてもよいし，他の何らかのトリガによって不定期に生成されてもよい。
【００８６】
上記受信側確認部２５６は，重要情報送信装置１００から送信されたチャレンジ情報と重要情報復元部２５２からの重要情報とに基づいて，重要情報送信装置１００に対するレスポンス情報を生成する。
【００８７】
また，受信側確認部２５６は，受信側送信部２５４が送信したチャレンジ情報に応じて重要情報送信装置１００から送信され，受信側受信部２５０で受信したレスポンス情報から，当該重要情報受信装置１２０が取得した重要情報が正しいかどうかを確認する。受信側確認部２５６は，例えば，上述したチャレンジ・レスポンス方式を用いた相互認証によって正誤を確認している。かかる受信側確認部２５６によって取得した重要情報が正しいものであるかどうかを確認することができ，より正確に通信経路を確立することができる。
【００８８】
また，コンピュータによって，重要情報受信装置１２０として機能するプログラムも提供される。
【００８９】
（重要情報送信方法，重要情報受信方法）
また，このような重要情報送信装置１００，重要情報受信装置１２０を利用して重要情報を送信または受信する重要情報送信方法，重要情報受信方法も提供される。
【００９０】
図４は，第１の実施形態における重要情報送信方法および重要情報受信方法の処理の流れを示したフローチャートである。かかる重要情報送信方法および重要情報受信方法は，大きく，「分散情報の伝送」と「重要情報到達の確認」とからなる。図４中の重要情報送信装置１００と重要情報受信装置１２０との間には無線による通信経路が構築される。
【００９１】
まず，重要情報受信装置１２０は，重要情報送信装置１００に対して通信要求を行う（Ｓ３００）。このとき併せて分散情報の送信要求をするとしてもよい。
【００９２】
それに応じて，重要情報送信装置１００の分散情報生成部２１２は，重要情報受信装置１２０に送信すべき重要情報を，該重要情報の復元に少なくともｋ個（２≦ｋ≦ｎ）の分散情報を要するｎ個（２≦ｎ）の分散情報に分散し（Ｓ３０２），重要情報送信装置１００が鍵情報（初期鍵）としての重要情報を分散して送信することを重要情報受信装置１２０に伝達する（Ｓ３０４）。重要情報受信装置１２０は，重要情報の受信準備を終えるとその旨重要情報送信装置１００に返信する（Ｓ３０６）。
【００９３】
次に，分散情報生成部２１２で生成した分散情報の送信準備を行い（Ｓ３１０），かかる分散情報を，複数回に分散して重要情報受信装置１２０に送信する（Ｓ３１２）。重要情報受信装置１２０は，この分散情報を受信して，少なくともｋ個（２≦ｋ≦ｎ）の分散情報から上記重要情報を復元する（Ｓ３１４）。
【００９４】
続いて，重要情報送信装置１００における送信側確認部２１８は，チャレンジ情報を生成し（Ｓ３２０），生成したチャレンジ情報を送信側送信部２１４から重要情報受信装置１２０に送信する（Ｓ３２２）。
【００９５】
重要情報受信装置１２０は，受信側受信部２５０で受信したチャレンジ情報を受信側確認部２５６に送信し，このチャレンジ情報に対するレスポンス情報と，自己のチャレンジ情報を生成し（Ｓ３２４），合わせて重要情報送信装置１００に送信する（Ｓ３２６）。
【００９６】
重要情報送信装置１００では，送信側受信部２１６で受信したレスポンス情報とチャレンジ情報を送信側確認部２１８に送信し，送信側確認部２１８は，レスポンス情報から重要情報受信装置が正しい重要情報を取得したかどうか確認し，また，チャレンジ情報に対するレスポンス情報を生成する（Ｓ３２８）。生成されたレスポンス情報は，送信側送信部２１４を介して重要情報受信装置１２０に送信される（Ｓ３３０）。
【００９７】
最後に，重要情報受信装置１２０における受信側受信部２５０で受信されたレスポンス情報は，送信側確認部２１８に送信され，重要情報復元部２５２によって復元された重要情報が重要情報送信装置１００からの重要情報と一致しているかどうか確認する（Ｓ３３２）。
【００９８】
上述した第１の実施形態によれば，重要情報送信装置１００が重要情報をｎ個の分散情報に分散して伝送し，重要情報受信装置１２０は，送信された分散情報のうち，所定数の分散情報を取得することによって重要情報を復元する。このように，重要情報を復元できた無線端末装置，ここでは重要情報受信装置１２０のみが正しい重要情報を設定できるので，以後の重要情報送信装置１００との無線通信を継続することができる。
【００９９】
このとき，第三者による他の無線端末装置１３０が上記の分散情報を傍受できる可能性はある。しかし，重要情報送信装置１００と，その近傍で重要情報を受信する重要情報受信装置１２０との間の通信経路と比べ，重要情報送信装置１００と他の無線端末装置１３０との間の通信経路では，雑音が大きくなる可能性が高い。
【０１００】
このように通信経路の雑音等に差がある環境下では，分散情報の数ｎと，重要情報を正しく復元するのに必要な分散情報の数ｋの値を，環境に合わせて調整することにより，重要情報受信装置が少なくともｋ個の正しい分散情報を受信でき，かつ，他の無線端末装置１３０が少なくともｋ個の正しい分散情報を受信できないといった状況を作ることができる。従って，重要情報送信装置１００からの重要情報は，他の無線端末装置１３０に不正に取得されることなく，重要情報受信装置１２０に安全に伝送される。
【０１０１】
（第２の実施形態：重要情報伝送システム）
続いて，分散情報を重要情報送信装置から直接重要情報受信装置に送らず，複数の中継装置を経由して送信する実施形態を説明する。
【０１０２】
図５は，第２の実施形態における重要情報伝送システムにおける各装置の概略的な配置を示した配置図である。かかる重要情報伝送システムは，様々な無線端末装置からなり，各端末が認証管理装置にもなりうる。ここでも，第１の実施形態同様，機能を限定した重要情報送信装置４００と，中継装置４１０と，重要情報受信装置４２０と，他の無線端末装置４３０とを用いて重要情報伝送システムを説明する。
【０１０３】
上記重要情報送信装置４００は，認証管理装置として機能し，重要情報受信装置４２０からの重要情報伝送システム参加の要求を受け，重要情報を，中継装置４１０を介して重要情報受信装置４２０に送信する。
【０１０４】
上記中継装置４１０は，重要情報送信装置４００から受信した重要情報を重要情報受信装置４２０に中継する。
【０１０５】
上記重要情報受信装置４２０は，当該重要情報伝送システムへの参加を希望する場合，重要情報送信装置４００にその旨要求し，重要情報送信装置４００からの重要情報を，中継装置４１０を介して受信し，その重要情報を利用して以後の通信を行う。
【０１０６】
重要情報受信装置４２０は，中継装置４１０を介した重要情報送信装置４００からの重要情報を他の無線端末装置４３０に漏洩しないように確実に受信することでセキュアな通信経路を確立する。これに対して，不正な第三者等による他の無線端末装置４３０は，中継装置４１０からの重要情報を正しく受信することが困難なため，重要情報送信装置４００と重要情報受信装置４２０とで構成される重要情報伝送システムの情報を取得することができない。
【０１０７】
このようなセキュアな重要情報伝送システムは，第１の実施形態同様，重要情報送信装置４００の重要情報の送信および重要情報受信装置４２０の重要情報の受信を工夫することによってなされる。例えば，本実施形態においては，中継対象であり，かつ，離隔配置される中継装置４１０それぞれ（点線４４０に囲まれた範囲中の中継装置４１０）から，特定の通信状態を維持可能な範囲にある重要情報受信装置４２０のみ無線通信に参加することができ，各中継装置４１０とそのような通信状態を維持できない他の無線端末装置４３０は参加できない。以下，このような本実施形態の構成について詳細に説明する。
【０１０８】
（重要情報送信装置４００）
本実施形態において，まず，重要情報送信装置４００は，重要情報受信装置４２０に中継装置４１０を介して重要情報を送信する。その際，重要情報は２以上の分散情報に分けられる。重要情報受信装置４２０は，中継装置４１０からの分散情報を全て受信しなくとも，ビットエラー，パケットエラー，パケットロス等なしに，ｋ個の分散情報を受け取ることで重要情報を復元することができる。
【０１０９】
これに対して，不正な第三者等による他の無線端末装置４３０は，中継装置４１０との位置関係から，ｋ個以上の分散情報を取得することができない。即ち，重要情報送信装置４００と重要情報受信装置４２０との通信を傍受することができないこととなる。
【０１１０】
図６は，重要情報送信装置４００の概略的な構成を示した機能ブロック図である。かかる重要情報送信装置４００は，重要情報生成部２１０と，分散情報生成部２１２と，分散情報組分け部４５０と，中継装置抽出部４５２と，送信側送信部２１４と，送信側受信部２１６と，送信側確認部２１８とを含んで構成される。
【０１１１】
第１の実施形態における構成要素として既に述べた重要情報生成部２１０と，分散情報生成部２１２と，送信側送信部２１４と，送信側受信部２１６と，送信側確認部２１８とは，実質的に機能が同一なので重複説明を省略し，ここでは，構成が相違する分散情報組分け部４５０と，中継装置抽出部４５２とを主に説明する。
【０１１２】
上記分散情報組分け部４５０は，分散情報生成部２１２で分散されたｎ個の分散情報を，重要情報受信装置４２０への中継装置４１０の数であるｒ個（１≦ｒ≦ｎ）の分散情報組に組み分ける。各分散情報組は，それぞれｔｉ個（１≦ｉ≦ｒ≦ｎ，ｔ１＋ｔ２＋…＋ｔｒ＝ｎ）の分散情報を有している。
【０１１３】
このようにｒ個に分けられた分散情報組は，送信側送信部２１４を介して中継装置４１０に送信される。中継装置４１０は，当該無線通信ネットワークシステム内において１以上で構成され，それぞれ異なった位置に配置される。従って，各中継装置４１０と重要情報受信装置４２０との距離，方向，電波状況等の通信状態はそれぞれ相違する。
【０１１４】
各中継装置４１０は，送信対象となる重要情報受信装置４２０のみが，少なくともｋ個の分散情報を取得できるような手段によって分散情報を送信する。従って，重要情報受信装置４２０は，重要情報送信装置からの分散情報を全て受信しなくとも，ｋ個の分散情報を受け取ることで重要情報を復元することができる。
【０１１５】
また，分散情報組分け部４５０は，分散情報生成部２１２より与えられた分散情報を，中継装置４１０に安全に伝送するための処理も行う。例えば，分散情報組分け部４５０は，無線通信ネットワークに参加している中継装置４１０のアドレス情報と，暗号化または認証に利用される任意の鍵情報を管理しており，分散情報生成部２１２からの分散情報をアドレス情報で特定される中継装置４１０の暗号化鍵で暗号化して，分散情報組を生成し，送信側送信部２１４に送信している。このようにして，ｒ個に組み分けられた分散情報が各中継装置４１０に安全に伝送される。この中継装置４１０とのセキュアな通信経路を確立する機能は，分散情報組分け部４５０以外の構成要素において独立して行われるとしてもよい。
【０１１６】
上記中継装置抽出部４５２は，送信側受信部２１６で受信した位置推定情報（通信状態に関する情報）に基づいて，重要情報受信装置４２０と通信可能な，即ち近傍にある中継装置４１０を１以上抽出する。かかる抽出方法としては，例えば，重要情報送信装置４００が無線通信ネットワークに参加している中継装置４１０の位置（相対座標）を把握しており，１以上の中継装置４１０から受信したＲＳＳＩ（Ｒｅｃｅｉｖｅｄ  Ｓｉｇｎａｌ  Ｓｔｒｅｎｇｔｈ  Ｉｎｄｉｃａｔｏｒ）値等を含む位置推定情報より，重要情報受信装置４２０の近傍に存在する中継装置を推定することが考えられる。中継装置抽出部４５２は，抽出した中継装置４１０を特定する情報（アドレス情報）を分散情報組分け部４５０に送信する。
【０１１７】
そして，上述した分散情報組分け部４５０は，抽出された中継装置４１０に応じて分散情報組に組み分ける。かかる組み分けは，単純な除算によって実行してもよいが，中継装置４１０の能力や，信頼性，中継装置４１０と重要情報受信装置４２０との距離等の通信状態，例えば，距離が短いほど分散情報組中の分散情報が多いとしてもよい。
【０１１８】
また，コンピュータによって，重要情報送信装置４００として機能するプログラムも提供される。
【０１１９】
（中継装置４１０）
図７は，中継装置４１０の概略的な構成を示した機能ブロック図である。かかる中継装置４１０は，中継受信部５００と，中継送信部５０２と，通信状態検出部５０４と，情報中継部５０６とを含んで構成される。
【０１２０】
上記中継受信部５００は，重要情報送信装置４００で生成されたｒ個（１≦ｒ≦ｎ）の分散情報組のうち，１組の分散情報組および重要情報受信装置４２０からの返信情報を受信する。かかる重要情報送信装置４００との通信経路は，無線および有線のどちらで形成されるとしてもよい。
【０１２１】
また，中継受信部５００は，重要情報送信装置４００の分散情報組分け部４５０と連携して重要情報送信装置４００からの情報を安全に取得することができる。例えば，中継受信部５００は，重要情報送信装置４００と安全に通信を行なうための鍵情報を共有しており，その鍵情報を用いて分散情報組を復号することで，安全に分散情報を得る。このように重要情報送信装置４００とのセキュアな通信経路を確立する機能は中継受信部５００以外の構成要素において独立して行われるとしてもよい。
【０１２２】
上記中継送信部５０２は，中継受信部５００が受信した分散情報組中の分散情報を，重要情報受信装置４２０に無線通信を介して送信し，また，重要情報受信装置４２０からの返信情報を重要情報送信装置４００に送信する。中継装置４１０は移動自在な重要情報受信装置４２０と通信可能な様々な位置に配される。このような中継装置４１０から重要情報受信装置４２０への通信状態を限定することにより，通信すべき重要情報受信装置を特定することができる。
【０１２３】
かかる通信状態の限定は，例えば，分散情報の送信電力を制御することでなされる。中継送信部５０２は，重要情報受信装置４２０の位置を推定し，送信電力を調整して分散情報を送信する。従って，送信電力は，重要情報受信装置が少なくともｋ個の分散情報を受信できる程度の小さい電力に制限される。重要情報送信装置と距離が離れている，また，通信経路に雑音が多いといった他の無線端末装置４３０は，このような制限された送信電力の下で，ｋ個以上の分散情報を取得することができず，通信経路を確立することができない。
【０１２４】
図８は，複数の中継装置４１０から特定の通信状態にある重要情報受信装置４２０を説明するための説明図である。かかる重要情報受信装置４２０は，重要情報送信装置４００に抽出された４つの中継装置４１０Ａ，４１０Ｂ，４１０Ｃ，４１０Ｄと接続されるとする。このとき，各中継装置４１０Ａ，４１０Ｂ，４１０Ｃ，４１０Ｄと重要情報受信装置４２０とには特定の通信状態に応じた送信電力が設定され，中継装置４１０Ａ，４１０Ｂ，４１０Ｃ，４１０Ｄはそれぞれ重要情報受信装置４２０が受信可能な最小の送信電力で分散情報を送信する。
【０１２５】
従って，各中継装置４１０Ａ，４１０Ｂ，４１０Ｃ，４１０Ｄから送信電力的に同範囲（各中継装置４１０Ａ，４１０Ｂ，４１０Ｃ，４１０Ｄを中心とした円５２０Ａ，５２０Ｂ，５２０Ｃ，５２０Ｄ）内の，斜線の領域５３０にある無線端末装置，即ち重要情報受信装置４２０のみが分散情報を受信できることとなる。
【０１２６】
上記通信状態検出部５０４は，重要情報送信装置４００から中継受信部５００を介して，重要情報を分散して送信する旨のコマンドを受信すると，重要情報受信装置４２０との通信状態を調べ，該通信状態に関する情報を，中継送信部５０２を介して重要情報送信装置４００に送信する。この通信状態に関する情報は，重要情報送信装置４００における中継装置抽出部４５２のスキームに準じた情報である必要がある。例えば，分散情報要求メッセージ受信時のＲＳＳＩ値を取得し，そのＲＳＳＩ値を含めて通信状態に関する情報を生成する。
【０１２７】
かかる構成により重要情報送信装置４００は，各中継装置４１０と重要情報受信装置４２０との通信状態を把握することができ，かかる通信状態に応じた組み分けを行うことができる。
【０１２８】
上記情報中継部５０６は，上記分散情報以外の，他の無線端末装置４３０の情報の送受信を中継受信部５００および中継送信部５０２を介して中継する。かかる構成により，重要情報送信装置４００と重要情報受信装置４２０のみならず，他の無線端末装置４３０間の通信も中継することができ，無線端末装置４３０同士の通信状態が悪かったとしても，その間を補間することが可能となる。例えば，重要情報送信装置４００と重要情報受信装置４２０とが，マルチホップ通信を利用して重要情報の正しい到達を確認する場合に，重要情報到達確認のための各種情報も中継する。
【０１２９】
また，コンピュータによって，上記中継装置４１０として機能するプログラムも提供される。
【０１３０】
（重要情報受信装置４２０）
重要情報送信装置４００が分散情報を，中継装置４１０を介して送信した後，重要情報受信装置４２０は，分散情報を受信する。このとき，重要情報受信装置４２０は，重要情報送信装置４００からの分散情報を全て受信しなくとも，ビットエラー，パケットエラー，パケットロス等なしに，ｋ個の分散情報を受け取ることで重要情報を復元することができる。
【０１３１】
図９は，重要情報受信装置４２０の概略的な構成を示した機能ブロック図である。かかる重要情報受信装置４２０は，受信側受信部２５０と，重要情報復元部２５２と，受信側送信部２５４と，受信側確認部２５６とを含んで構成される。上記の各構成要素は，第１の実施形態における構成要素として既に述べた構成要素と実質的に機能が同一なので重複説明を省略する。
【０１３２】
また，コンピュータによって，重要情報受信装置４２０として機能するプログラムも提供される。
【０１３３】
（重要情報送信方法，中継方法，重要情報受信方法）
また，このような重要情報送信装置４００，中継装置４１０，重要情報受信装置４２０を利用して重要情報を送信または受信する重要情報送信方法，中継方法，重要情報受信方法も提供される。
【０１３４】
図１０は，第２の実施形態における重要情報送信方法，中継方法，および重要情報受信方法の処理の流れを示したフローチャートである。かかる重要情報送信方法は，第１の実施形態同様，大きく，「分散情報の伝送」と「重要情報到達の確認」とからなる。図１０中の中継装置４１０と重要情報受信装置４２０との間には無線による通信経路が構築される。
【０１３５】
まず，重要情報受信装置４２０は，中継装置４１０を介して重要情報送信装置４００に対して通信要求を行う（Ｓ６００）。このとき併せて分散情報の送信要求をするとしてもよい。
【０１３６】
それに応じて，重要情報送信装置４００の分散情報生成部２１２は，重要情報受信装置４２０に送信すべき重要情報を，該重要情報の復元に少なくともｋ個（２≦ｋ≦ｎ）の分散情報を要するｎ個（２≦ｎ）の分散情報に分散し，分散情報組分け部は，かかるｎ個の分散情報を，中継装置４１０の数であるｒ個（１≦ｒ≦ｎ）の分散情報組に組み分ける（Ｓ６０２）。
【０１３７】
上記のステップ（Ｓ６０２）において配信対象となる中継装置４１０は，中継装置抽出部４５２によって抽出される。かかる中継装置抽出部の詳細な動作を，再度図５を用いて説明する。まず，重要情報受信装置４２０が上述したように分散情報の送信要求をした場合，それを中継する中継装置４１０の中継受信部５００が，かかる分散情報の送信要求があったことを通信状態検出部５０４に伝達し，通信状態検出部５０４は，重要情報受信装置４２０のＲＳＳＩ値を含む位置推定情報を生成し，重要情報送信装置４００に送信する。
【０１３８】
重要情報送信装置４００の中継装置抽出部４５２は，例えば，重要情報送信装置４００が無線通信ネットワークに参加している中継装置４１０の位置（相対座標）を把握している場合，１以上の中継装置４１０から受信したＲＳＳＩ値等を含む位置推定情報より，重要情報受信装置４２０の近傍に存在する中継装置を推定する。そして，中継装置抽出部４５２は，抽出した中継装置４１０を特定する情報（アドレス情報）を分散情報組分け部４５０に送信する。このようにして１以上の中継装置４１０が特定される。
【０１３９】
続いて，重要情報送信装置４００は，生成された分散情報組を重要情報受信装置４２０近傍に存在すると推定される各中継装置４１０に安全に送信し（Ｓ６０４），それを受けて中継装置４１０が鍵情報（初期鍵）としての重要情報を分散して送信することを重要情報受信装置４２０に伝達する（Ｓ６０６）。重要情報受信装置４２０は，重要情報の受信準備を終えるとその旨中継装置４１０に返信する（Ｓ６０８）。
【０１４０】
次に，中継装置４１０は，重要情報受信装置４２０が少なくともｋ個の分散情報を受信可能な電力に送信電力を設定し，重要情報送信装置４００から受信した分散情報組を分散情報に分け（Ｓ６１０），分けられた分散情報を，複数回に分けて重要情報受信装置４２０に送信する（Ｓ６１２）。重要情報受信装置４２０は，この分散情報を受信して，少なくともｋ個（２≦ｋ≦ｎ）の分散情報から上記重要情報を復元する（Ｓ６１４）。また，分散情報を送信し終えた中継装置４１０は，送信電力を通常の電力に再設定する（Ｓ６１６）。
【０１４１】
続いて，重要情報送信装置４００における送信側確認部２１８は，チャレンジ情報を生成し（Ｓ６２０），生成したチャレンジ情報を送信側送信部２１４から中継装置４１０を介して重要情報受信装置４２０に送信する（Ｓ６２２）。
【０１４２】
重要情報受信装置４２０は，受信側受信部２５０で受信したチャレンジ情報を受信側確認部２５６に送信し，このチャレンジ情報に対するレスポンス情報と，自己のチャレンジ情報を生成し（Ｓ６２４），両情報を，中継装置４１０を介して重要情報送信装置４００に送信する（Ｓ６２６）。
【０１４３】
重要情報送信装置４００では，送信側受信部２１６で受信したレスポンス情報とチャレンジ情報を送信側確認部２１８に送信し，送信側確認部２１８は，レスポンス情報から重要情報受信装置が正しい重要情報を取得したかどうか確認し，また，チャレンジ情報に対するレスポンス情報を生成する（Ｓ６２８）。生成されたレスポンス情報は，送信側送信部２１４から中継装置４１０を介して重要情報受信装置４２０に送信される（Ｓ６３０）。
【０１４４】
最後に，重要情報受信装置４２０における受信側受信部２５０で受信されたレスポンス情報は，送信側確認部２１８に送信され，重要情報復元部２５２によって復元された重要情報が重要情報送信装置４００からの重要情報と一致しているかどうか確認する（Ｓ６３２）。
【０１４５】
上述した第２の実施形態によれば，重要情報送信装置４００が，重要情報をｎ個の分散情報に分散し，かつｒ個の分散情報組に組み分け，離隔配置される各中継装置４１０を介して重要情報受信装置４２０に伝送される。重要情報受信装置４２０は，送信された分散情報のうち，所定数の分散情報を取得することによって重要情報を復元する。
【０１４６】
従って，任意の時間において，重要情報受信装置４２０は，その近傍に存在する複数の中継装置４１０から分散情報を分担して受信するので，全ての分散情報を受信する可能性が高い。一方，不正な第三者等による他の無線端末装置４３０は，重要情報受信装置４２０と同位置に配さない限り，上記複数の中継装置４１０のうち，任意数の中継装置４１０からの分散情報を高い確率で傍受できない。
【０１４７】
以上第２の実施形態では，第１の実施形態の効果に加え，盗聴装置（他の無線端末装置４３０）に対して，重要情報を不正に入手するために，全ての中継装置４１０が伝送する分散情報を高い確率で傍受可能な基盤を準備しなければならないという負荷（手間）をかけることができ，悪意をもった第三者による重要情報の不正な入手を防止することができる。
【０１４８】
このように，各中継装置４１０から特定の通信状態にある無線端末装置，ここでは重要情報受信装置４２０のみが正しい重要情報を復元できるので，重要情報受信装置４２０は，他の無線端末装置４３０を気にすることなく，以後の重要情報送信装置４００との無線通信を継続することができる。
【０１４９】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【０１５０】
例えば，上述した実施形態においては，重要情報送信装置において重要情報が生成されているが，かかる場合に限られず，他の電子機器で生成された重要情報を重要情報送信装置が安全な通信経路を介して取得するとしてもよい。
【０１５１】
また，上述した実施形態においては，重要情報送信装置に分散情報生成部や送信側確認部を備える構成で説明したが，かかる場合に限らず，他の電子機器に設けられ，かかる機能を他の電子機器に代行させることもできる。上記他の電子機器とは安全な通信経路で接続されるとしてもよい。
【０１５２】
また，上述した実施形態においては，重要情報送信装置に中継装置抽出部を設けているが，かかる場合に限られず，別途，重要情報受信装置の近傍に存在する中継装置を推定する電子機器が存在し，その電子機器から抽出結果を取得できるとしてもよい。
【０１５３】
また，重要情報生成部，分散情報生成部，分散情報組分け部，送信側確認部，中継装置抽出部等は，重要情報送信装置に備わる構成で説明したが，かかる場合に限られず，この中から選択された１以上の構成要素を中継装置に設けることも可能である。
【０１５４】
また，重要情報送信装置および重要情報受信装置における送信側確認部と受信側確認部は，省略することも可能である。
【０１５５】
また，送信側確認部や受信側確認部が重要情報を正しく受信できたことを確認出来なかった場合，即ち，重要情報の伝達に失敗した場合，ｎ，ｋ，ｒのパラメータを変更して，重要情報の再伝達を試みるとしてもよい。
【０１５６】
なお，本明細書の重要情報送信方法，中継方法，重要情報受信方法における各工程は，必ずしもフローチャートとして記載された順序に沿って時系列に処理する必要はなく，並列的あるいは個別に実行される処理（例えば，並列処理あるいはオブジェクトによる処理）も含むとしても良い。
【図面の簡単な説明】
【０１５７】
【図１】第１の実施形態における重要情報伝送システムにおける各装置の概略的な配置を示した配置図である。
【図２】重要情報送信装置の概略的な構成を示した機能ブロック図である。
【図３】重要情報受信装置の概略的な構成を示した機能ブロック図である。
【図４】第１の実施形態における重要情報送信方法および重要情報受信方法の処理の流れを示したフローチャートである。
【図５】第２の実施形態における重要情報伝送システムにおける各装置の概略的な配置を示した配置図である。
【図６】重要情報送信装置の概略的な構成を示した機能ブロック図である。
【図７】中継装置の概略的な構成を示した機能ブロック図である。
【図８】複数の中継装置から特定の通信状態にある重要情報受信装置を説明するための説明図である。
【図９】重要情報受信装置の概略的な構成を示した機能ブロック図である。
【図１０】第２の実施形態における重要情報送信方法，中継方法，および重要情報受信方法の処理の流れを示したフローチャートである。
【符号の説明】
【０１５８】
１００，４００  重要情報送信装置
１２０，４２０  重要情報受信装置
２１０  重要情報生成部
２１２  分散情報生成部
２１４  送信側送信部
２１６  送信側受信部
２１８  送信側確認部
２５０  受信側受信部
２５２  重要情報復元部
２５４  受信側送信部
２５６  受信側確認部
４１０  中継装置
４５０  分散情報組分け部
４５２  中継装置抽出部
５００  中継受信部
５０２  中継送信部
５０４  通信状態検出部
５０６  情報中継部
【図１】
0004412296.tif 000002
【図２】
0004412296.tif 000003
【図３】
0004412296.tif 000004
【図４】
0004412296.tif 000005
【図５】
0004412296.tif 000006
【図６】
0004412296.tif 000007
【図７】
0004412296.tif 000008
【図８】
0004412296.tif 000009
【図９】
0004412296.tif 000010
【図１０】
0004412296.tif 000011